(57)【要約】【課題】  狭い場所でもボルトのネジ山の修正を行えると共に、ボルトの途中部分からでもネジ山の修正を行える。【解決手段】  二分割した二つのダイス片２′，２′から成るダイス２と、中央部分にダイス２を着脱自在に保持するダイス挿着穴３ａを有する開閉自在な多角形状のホルダー３とから構成したネジ山修正用工具１であって、前記ホルダー３は、基端部同士が回動自在に連結されていると共に、中央部分の対向する個所にダイス挿着穴３ａを形成する半円状又は角形状の切欠部３ａ′を形成した一対のホルダー片３′，３′と、各ダイス片２′，２′を各ホルダー片３′，３′の切欠部３ａ′へ固定する固定ネジ４と、両ホルダー片３′，３′間に介設され、両者を開く方向へ附勢する弾性体５と、両ホルダー片３′，３′間に設けられ、両者の間隔を所定の間隔に保持して各ホルダー片３′，３′に保持固定されたダイス片２′，２′を環状にする係止機構６とから成る。【選択図】      図１
2006326731.tif 000002
【特許請求の範囲】
【請求項１】
ネジ山を形成するダイス（２）と、中央部分にダイス（２）を着脱自在に保持するダイス挿着穴（３ａ）を有し、当該ダイス挿着穴（３ａ）を直径方向に二分割するように開閉する多角形状のホルダー（３）とから構成したネジ山修正用工具（１）であって、前記ダイス（２）は、丸ダイス又は角ダイスを直径方向に二分割して形成した二つのダイス片（２′），（２′）から成り、又、前記ホルダー（３）は、同一平面上に並列配置され、その基端部同士が回動自在に連結されていると共に、中央部分の対向する個所に各ダイス片（２′），（２′）を保持してダイス挿着穴（３ａ）を形成する半円形状又は角形状の切欠部（３ａ′）を設けた一対の板状のホルダー片（３′），（３′）と、両ホルダー片（３′），（３′）の切欠部（３ａ′）に保持された各ダイス片（２′），（２′）を夫々切欠部へ固定する固定ネジ（４）と、両ホルダー片（３′），（３′）間に介設され、両ホルダー片（３′），（３′）を開く方向へ附勢する弾性体（５）と、両ホルダー片（３′），（３′）間に設けられ、両ホルダー片（３′），（３′）の間隔を所定の間隔に保持して各ホルダー片（３′），（３′）に保持固定されたダイス片（２′），（２′）を環状にする係止機構（６）とから成り、両ダイス片（２′），（２′）が環状になる閉鎖位置と両ダイス片（２′），（２′）が離間する開放位置とに亘って開閉自在に構成されていることを特徴とするネジ山修正用工具。
【請求項２】
両ホルダー片（３′），（３′）の切欠部（３ａ′）の内面に、ダイス片（２′），（２′）の外周縁部の形状に合致してダイス片（２′），（２′）が着脱自在に嵌合される凹部（３ｆ）を夫々形成したことを特徴とする請求項１に記載のネジ山修正用工具。
【請求項３】
両ホルダー片（３′），（３′）を略長方形状に形成すると共に、両ホルダー片（３′），（３′）の長手方向の外側周縁部を波形に形成したことを特徴とする請求項１又は請求項２に記載のネジ山修正用工具。
【発明の詳細な説明】
【技術分野】
【０００１】
本発明は、例えば建築現場で使われているアンカーボルトや自動車等に使われている植込みボルト等のボルトのネジ山が潰れたり、或いは錆びたりした場合に、ボルトのネジ山を正規の形状に修正するネジ山修正用工具に係り、特に、狭い場所であってもボルトのネジ山の修正を確実且つ良好に行えると共に、長いボルトであってもボルトの途中部分からネジ山の修正を行えるようにしたネジ山修正用工具に関するものである。
【背景技術】
【０００２】
一般に、建築現場や自動車修理工場等の作業現場に於いては、コンクリートに打ち込まれているアンカーボルトや自動車等に使われている植込みボルト等のボルトのネジ山が潰れたり、錆びたりしてボルトを使用できない場合、或いはボルトのネジ山に塗料やコンクリート等の異物が付着してボルトを使用できない場合には、従来公知のダイス及びダイスホルダー（図示省略）を用いてボルトのネジ山の修正を行うようにしている。
【０００３】
即ち、ダイス及びダイスホルダーを用いてボルトのネジ山の修正を行う場合、ダイスホルダーにダイスを固定し、ダイスの切り刃を修正しようとするボルトの先端に押し当て、この状態でダイスホルダーに設けた二本の棒状の取っ手を握ってダイスホルダー全体を回転させ、ダイス及びダイスホルダーをボルトに沿って順次移動させる。そうすると、ダイスがボルトの修正部分を通過する際、ダイスの機能によってボルトの潰れたネジ山や錆びたネジ山が正規の形状に修正されることになる。
【０００４】
しかし、ダイス及びダイスホルダーを用いたボルトのネジ山の修正は、ダイスをボルトの先端から螺挿し、ダイス及びダイスホルダーをボルトに沿ってネジ山の修正部分まで移動させなければならないため、長いボルトを修正する際に修正を必要とするネジ山がボルトの先端から遠い位置にある場合には、ダイス及びダイスホルダーを何十回、何百回も回転させなければならず、ネジ山の修正を短時間で簡単且つ容易に行えないと云う問題があった。然も、ボルトの先端に修正を必要とするネジ山がある場合には、ダイスにより新たに形成したボルト先端のネジ山と元々正常に形成されていたボルト下部のネジ山との位相を合致させることが極めて困難であり、ボルトのネジ山を正確に修正できないと云う問題もあった。
更に、ダイスホルダーは、二本の棒状の取っ手がダイスを中心にしてダイスの直径方向へ一直線状に配置されているため、ボルトのネジ山の修正作業時に広い回転半径が必要であった。その結果、取っ手の回転半径内に障害物があるような狭い場所では、ボルトのネジ山の修正作業を行えないと云う問題があった。
【０００５】
一方、この種の分野に於いては、従前からボルトのネジ山をボルトの途中部分から修正できるようにした器具が開発され、実開平１−９２３２４号公報として公開されている（特許文献１）。
即ち、前記器具２０（以下、ネジ山修正器２０と云う）は、図１２に示す如く、一部分を交差させて交差部分を軸部２１により回動自在に連結した一対の半体部材２２，２２と、両半体部材２２，２２の一側に夫々設けられ、ダイスを二分割した形状のダイス半体部２２ａ，２２ａと、両半体部材２２，２２の他側に夫々設けたグリップ半部２２ｂ，２２ｂと、両グリップ半部２２ｂ，２２ｂ間に設けられ、両ダイス半体部２２ａ，２２ａを閉じた状態に固定可能な固定機構部２３とから構成されている。
【０００６】
而して、前記ネジ山修正器２０を用いてボルト（図示省略）のネジ山を修正する場合には、先ず固定機構部２３を操作して両ダイス半体部２２ａ，２２ａの固定状態を解除し、両グリップ半部２２ｂ，２２ｂを外方へ広げて両ダイス半体部２２ａ，２２ａを開く。次に、両ダイス半体部２２ａ，２２ａ間に修正しようとするボルトの一部分（ネジ山に変形を生じていない部分）を挿入すると共に、両グリップ半部２２ｂ，２２ｂを閉じて両ダイス半体部２２ａ，２２ａに形成したダイス歯２２ｃ，２２ｃによってボルトのネジ山を挟み、この状態で固定機構部２３を操作して両ダイス半体部２２ａ，２２ａを閉じた状態に固定する。その後、両グリップ半部２２ｂ，２２ｂを手で握り、ネジ山修正器２０全体をボルトを中心にして回転させる。そうすると、両ダイス半体部２２ａ，２２ａのダイス歯２２ｃ，２２ｃによって潰れているネジ山が正規の形状に修正されることになる。
このネジ山修正器２０は、ダイス機能を有する両ダイス半体部２２ａ，２２ａが開閉可能な構造になっているため、ボルトのネジ山をボルトの途中部分からでも修正することができると云う優れた効果を奏することができる。
【０００７】
しかし、前記ネジ山修正器２０は、二本の棒状の取っ手を設けたダイスホルダーと同様に比較的長い棒状のグリップ半部２２ｂ，２２ｂを備えているため、ボルトのネジ山の修正作業時に広い回転半径が必要であった。その結果、グリップ半部２２ｂ，２２ｂの回転半径内に障害物があるような狭い場所では、ボルトのネジ山の修正作業を行えないと云う問題があった。
又、このネジ山修正器２０は、ダイス機能を有するダイス半体部２２ａ，２２ａが半体部材２２，２２の一側に一体的に設けられているため、ボルトの直径やネジのピッチ等が異なるボルトを修正する場合には、同じネジ山修正器２０を使用することができなかった。その結果、このネジ山修正器２０は、修正するボルトの直径やネジのピッチ等に応じてダイス半体部２２ａ，２２ａのサイズが異なる数種類の複数のネジ山修正器２０を用意しておく必要があり、コストの高騰を招くと共に、保管や持ち運びも行い難いと云う問題があった。然も、ダイス半体部２２ａ，２２ａのダイス歯２２ｃ，２２ｃが損傷したりした場合には、ネジ山修正器２０自体を破棄しなければならず、経済性にも劣ると云う問題があった。
更に、このネジ山修正器２０は、両ダイス半体部２２ａ，２２ａの固定・解除を行う固定機構部２３が、一方のグリップ半部２２ｂに回動自在に設けた固定シャフト２３ａと、固定シャフト２３ａの先端部に設けたボルト部に螺合する固定ナット２３ｂと、他方のグリップ半部２２ｂに形成した割溝２３ｃ等から構成されているため、両ダイス半体部２２ａ，２２ａの固定・解除を行う際には、固定ナット２３ｂを緩めて固定シャフト２３ａをグリップ半部２２ｂに形成した割溝２３ｃから抜いたり、或いは固定シャフト２３ａをグリップ半部２２ｂの割溝２３ｃに挿入して固定ナット２３ｂで締め付けたりする必要があった。その結果、このネジ山修正器２０は、両ダイス半体部２２ａ，２２ａの固定・解除に手数が掛かり、ボルトのネジ山の修正を迅速に行えないと云う問題があった。特に、修正するボルトの本数が多い場合には、前記問題がより一層顕著に現れることになる。
【特許文献１】実開平１−９２３２４号公報
【発明の開示】
【発明が解決しようとする課題】
【０００８】
本発明は、このような問題点に鑑みて為されたものであり、その目的は狭い場所であってもボルトのネジ山の修正を確実且つ良好に行えると共に、ボルトの途中部分からでもネジ山の修正を行え、然も、取扱性や操作性に優れていると共に、コストの低減等を図れるようにしたネジ山修正用工具を提供することにある。
【課題を解決するための手段】
【０００９】
上記目的を達成するために、本発明の請求項１の発明は、ネジ山を形成するダイスと、中央部分にダイスを着脱自在に保持するダイス挿着穴を有し、当該ダイス挿着穴を直径方向に二分割するように開閉する多角形状のホルダーとから構成したネジ山修正用工具であって、前記ダイスは、丸ダイス又は角ダイスを直径方向に二分割して形成した二つのダイス片から成り、又、前記ホルダーは、同一平面上に並列配置され、その基端部同士が回動自在に連結されていると共に、中央部分の対向する個所に各ダイス片を保持してダイス挿着穴を形成する半円形状又は角形状の切欠部を設けた一対の板状のホルダー片と、両ホルダー片の切欠部に保持された各ダイス片を夫々切欠部へ固定する固定ネジと、両ホルダー片間に介設され、両ホルダー片を開く方向へ附勢する弾性体と、両ホルダー片間に設けられ、両ホルダー片の間隔を所定の間隔に保持して各ホルダー片に保持固定されたダイス片を環状にする係止機構とから成り、両ダイス片が環状になる閉鎖位置と両ダイス片が離間する開放位置とに亘って開閉自在に構成されていることに特徴がある。
【００１０】
本発明の請求項２の発明は、両ホルダー片の切欠部の内面に、ダイス片の外周縁部の形状に合致してダイス片が着脱自在に嵌合される凹部を夫々形成したことに特徴がある。
【００１１】
本発明の請求項３の発明は、両ホルダー片を長方形状に形成すると共に、両ホルダー片の長手方向の外側周縁部を波形に形成したことに特徴がある。
【発明の効果】
【００１２】
本発明の請求項１のネジ山修正用工具は、丸ダイス又は角ダイスを直径方向に二分割して形成した二つのダイス片から成る半割り状のダイスと、中央部分に半割り状のダイスを着脱自在に保持固定するダイス挿着穴を形成した開閉自在な多角形状のホルダーとから構成しているため、従来のダイスホルダーの棒状の取っ手やネジ山修正器の棒状のグリップ半部のようにダイスの周囲へ長く突出する部分がなく、ネジ山修正用工具の回転時の最大作業半径を小さくすることができる。その結果、本発明の請求項１のネジ山修正用工具は、狭い場所であってもボルトのネジ山の修正作業を確実且つ良好に行うことができる。
又、本発明の請求項１のネジ山修正用工具は、開閉自在な多角形状のホルダーで半割り状のダイスを着脱自在に保持固定する構成としているため、ホルダーに保持固定している半割り状のダイスを内径やネジのピッチ等が異なる別の半割り状のダイスと交換することができる。そのため、本発明の請求項１のネジ山修正用工具は、修正するボルトの直径やネジのピッチ等が変わった場合には、半割り状のダイスのみを交換すれば良く、従来のネジ山修正器のように複数のネジ山修正器を用意しておく必要もなく、ネジのピッチ等が異なるダイスのみを用意しておけば良い。その結果、本発明の請求項１のネジ山修正用工具は、従来のネジ山修正器に比較してコスト低減を図れると共に、保管や持ち運びも行い易くなり、取扱性に優れたものとなる。然も、本発明の請求項１のネジ山修正用工具は、ダイスの切り刃が損傷したりした場合には、ダイスのみを新しいものと交換すれば、再び使用することができるため、ネジ山修正用工具自体を破棄したりする必要もなく、経済性にも優れたものとなる。
【００１３】
本発明の請求項２及び請求項３のネジ山修正用工具は、上記効果に加えて更に次のような効果を奏することができる。
即ち、本発明の請求項２のネジ山修正用工具は、ホルダーを形成する両ホルダー片の切欠部の内面にダイス片が着脱自在に嵌合される凹部を夫々形成する構成としているため、ダイス片をホルダー片の切欠部に保持固定する際にダイス片が切欠部から脱落し難くなり、ダイス片のホルダー片への保持固定を円滑且つスムースに行える。
又、本発明の請求項３のネジ山修正用工具は、両ホルダー片を略長方形状に形成すると共に、両ホルダー片の長手方向の外側周縁部を波形に形成する構成としているため、ボルトのネジ山の修正時に作業者がホルダーを掴み易くなり、ネジ山修正用工具自体をボルトに対して円滑且つスムースに回転させることができ、操作性にも優れたものとなる。
【発明を実施するための最良の形態】
【００１４】
図１乃至図１１は本発明の実施の形態に係るネジ山修正用工具１を示し、当該ネジ山修正用工具１は、建築現場で使われているアンカーボルトや自動車に使われている植込みボルト等のボルトのネジ山が潰れたり、錆びたりした際にネジ山を正規の形状に修正するものであり、狭い場所であってもボルトのネジ山の修正を確実且つ良好に行えると共に、長いボルトであってもボルトの途中部分からネジ山の修正を行え、然も、ネジ山の修正も迅速に簡単且つ容易に行えるようにしたものである。
【００１５】
即ち、前記ネジ山修正用工具１は、図１乃至図３に示す如く、ネジ山を形成する半割り状のダイス２と、中央部分にダイス２を着脱自在に保持するダイス挿着穴３ａを有し、当該ダイス挿着穴３ａを直径方向に二分割するように開閉する平面形状が略長方形状のホルダー３とから構成されており、ホルダー３を開閉操作することによって、半割り状のダイス２を開いたり、閉じたりすることができるようになっている。
尚、この実施の形態に於いては、ホルダー３の長さは６５ｍｍに、ホルダー３の幅は５０ｍｍに、ホルダー３の厚みは１４ｍｍに夫々設定されている。
【００１６】
前記ダイス２は、図１及び図２に示す如く、内周縁部に切り刃２ａを設けた丸ダイスを直径方向に二分割して形成した半円状の二つのダイス片２′，２′から成り、両ダイス片２′，２′の外周面には、雌ネジ穴２ｂがダイス２の半径方向へ夫々形成されている。
尚、この半割り状のダイス２には、外径寸法が同じで内径やネジのピッチ、ネジの種類等が異なるものが数種類用意されており、これらのダイス２は修正しようとするボルトの外径、ネジのピッチ、ネジの種類等に応じて適宜に取り替えられる。
【００１７】
一方、前記ホルダー３は、同一平面上に並列配置され、その基端部同士が回動自在に連結されていると共に、中央部分の対向する個所に各ダイス片２′，２′を保持してダイス挿着穴３ａを形成する半円状の切欠部３ａ′を形成した一対の板状のホルダー片３′，３′と、両ホルダー片３′，３′の切欠部３ａ′に保持された各ダイス片２′，２′を夫々切欠部３ａ′へ固定する固定ネジ４と、両ホルダー片３′，３′間に介設され、両ホルダー片３′，３′を開く方向へ附勢する弾性体５と、両ホルダー片３′，３′間に設けられ、両ホルダー片３′，３′の間隔を所定の間隔に保持して各ホルダー片３′，３′に保持固定されたダイス片２′，２′を環状にする係止機構６とから成り、両ダイス片２′，２′が環状になる閉鎖位置（図２参照）と両ダイス片２′，２′が離間する開放位置（図３参照）とに亘って開閉自在に構成されている。
【００１８】
具体的には、一対のホルダー片３′，３′は、図１乃至図３に示す如く、略長方形状の厚肉の金属製ブロック板３Ａと、金属製ブロック板３Ａの両面に複数本の固定ピン７により固定された略長方形状の二枚の金属製カバー板３Ｂとから成り、各ホルダー片３′，３′の長手方向の外側周縁部は、作業者がホルダー片３′，３′を持ったときに手にフィットするように波形に形成されている。
前記各ホルダー片３′，３′の基端部側には、貫通状の軸穴３ｂを形成した一対の半円板状の連結部３ｃが外方へ突出する姿勢で夫々設けられていると共に、各ホルダー片３′，３′の先端部側の対向する個所には、係止機構６を収納するための矩形状の収納空間３ｄが夫々形成されている。両ホルダー片３′，３′の連結部３ｃは、互いに重なり合って摺動できるようになっており、弾性体５を収納するための窪み部３ｅを備えている。
又、各ホルダー片３′，３′の中央部分の対向する個所（ホルダー片３′，３′の内側辺）には、各ダイス片２′，２′を着脱自在に保持してダイス挿着穴３ａを形成する半円形状の切欠部３ａ′が夫々設けられており、当該切欠部３ａ′の内面には、ダイス片２′，２′の外周縁部の形状に合致してダイス片２′，２′が着脱自在に嵌合される凹部３ｆが形成されている。
更に、各ホルダー片３′，３′の中央部分には、ダイス片２′，２′を切欠部３ａ′の凹部３ｆへ固定するための固定ネジ４が挿通されるボルト穴３ｇが夫々形成されている。このボルト穴３ｇは、切欠部３ａ′の凹部３ｆに嵌合されたダイス片２′，２′の雌ネジ穴２ｂに合致するように両ホルダー片３′，３′の中央部分に形成されており、固定ネジ４のネジ部が挿通される小径孔と固定ネジ４の頭部が収容される大径孔とから成る段付きのボルト穴３ｇとなっている。
【００１９】
そして、一対のホルダー片３′，３′は、一方のホルダー片３′，３′の連結部３ｃと他方のホルダー片３′，３′の連結部３ｃとを軸穴３ｂ同士が合致するように重ね合わせ、各連結部３ｃの軸穴３ｂに連結軸８を挿着することによって、連結部３ｃに挿着した連結軸８を中心にして回動自在に連結される。このとき、両ホルダー片３′，３′の中央部分の対向する個所には、半円状の切欠部３ａ′によりダイス２を着脱自在に保持するダイス挿着穴３ａが形成される。このダイス挿着穴３ａは、両ホルダー片３′，３′を開く方向へ回動させることによって、直径方向に二分割されるようになっている。
【００２０】
前記固定ネジ４は、六角穴付きボルトから成り、そのネジ部をホルダー片３′，３′の中央部分に形成したボルト穴３ｇに挿通し、ネジ部の先端部をホルダー片３′，３′の切欠部３ａ′の凹部３ｆに嵌合したダイス片２′，２′の雌ネジ穴２ｂへ螺着することによって、ダイス片２′，２′を切欠部３ａ′の凹部３ｆへ保持固定することができる。
【００２１】
前記弾性体５は、図２及び図３に示す如く、両端部が略直線状に形成されたコイルスプリングから成り、コイル部分が連結軸８に装着されていると共に、直線状の一端部が一方のホルダー片３′に形成した窪み部３ｅの内面に、又、直線状の他端部が他方のホルダー片３′に形成した窪み部３ｅの内面に夫々弾性的に係止されている。
そのため、一対のホルダー片３′，３′は、弾性体５の弾性力により開く方向へ常時附勢されており、後述する係止機構６が機能していない状態では両ホルダー片３′，３′の先端部側が離間した状態となっている（図３参照）。
【００２２】
前記係止機構６は、両ホルダー片３′，３′の先端部側に形成した収納空間３ｄに設けられており、両ホルダー片３′，３′に保持固定されたダイス片２′，２′が環状になるように両ホルダー片３′，３′の間隔を所定の間隔に保持するものである。
即ち、この係止機構６は、図１乃至図３に示す如く、一方のホルダー片３′の収納空間３ｄに収納された揺動自在な係止板９と、係止板９を所定の方向へ附勢するコイルスプリング１０と、他方のホルダー片３′の収納空間３ｄに収納されたスライド自在な操作板１１と、操作板１１を所定の方向へ附勢するコイルスプリング１１とから成り、係止板９と操作板１１とが係脱自在に係止されるようになっている。
【００２３】
具体的には、係止板９は、その大部分が一方のホルダー片３′の収納空間３ｄに収納されており、ホルダー片３′と同じ平面上で且つホルダー片３′の長手方向へ揺動するように収納空間３ｄに設けた支持ピン１３に揺動自在に支持されている。
又、係止板９は、収納空間３ｄから外方へ突出する円弧形状の係止片９ａを備えており、その係止片９ａの内側面には、一定のピッチで複数の歯９ｂが形成されている。これら複数の歯９ｂは、連結軸８を中心にして同一円周上に配置された状態になっている。
更に、係止板９は、収納空間３ｄの内面と係止板９との間に介設したコイルスプリング１０により連結軸８側へ近づくように附勢されている。
【００２４】
一方、操作板１１は、他方のホルダー片３′の収納空間３ｄに収納されており、収納空間３ｄに設けたガイドピン１４にホルダー片３′の幅方向へスライド自在に支持されている。
又、操作板１１には、係止板９の複数の歯９ｂに係脱自在に係止される複数の歯１１ｂが係止板９の歯９ｂと同じピッチで形成されている。これら複数の歯１１ｂも、連結軸８を中心にして同一円周上に配置された状態になっている。
更に、操作板１１は、操作板１１の歯１１ｂが係止板９の歯９ｂに噛合する係止位置（図２、図４、図５に示す位置）と操作板１１の歯１１ｂが係止板９の歯９ｂから外れる非係止位置（図１０に示す位置）とに亘ってガイドピン１４に沿ってスライド自在となっており、収納空間３ｄの内面と操作板１１との間に介設した複数のコイルスプリング１２により係止位置に常時附勢保持されている。又、操作板１１には、係止位置にある操作板１１を押し込み操作により非係止位置へスライドさせる押しボタン９ａが設けられている。この押しボタン９ａは、操作板１１の片面に設けられており、ホルダー片３′の一方のカバー板３Ｂから外方へ突出し、操作板１１を係止位置から非係止位置へ押し込み操作できるようになっている。
【００２５】
而して、前記係止機構６によれば、ホルダー３を図３に示す開放位置から図２に示す閉鎖位置へ閉じるときには、係止板９が支持ピン１３を中心にして揺動しつつ係止板９の各歯９ｂが係止位置にある操作板１１の各歯１１ｂの上を滑りながら移動して操作板１１の各歯１１ｂに順次係止されて行き、又、ホルダー３を閉じるのを止めたときには、係止板９の歯９ｂが係止板９側に設けたコイルスプリング１０の附勢力により操作板１１の歯１１ｂに係止されて両ホルダー片３′，３′の間隔を所定の間隔に保持することができる。この状態で図１０に示すように押しボタン１１ａを押し込み操作して操作板１１を係止位置から非係止位置へスライドさせ、係止板９と操作板１１の係止状態を解除すると、ホルダー３の両ホルダー片３′，３′が弾性体５の弾性力により開く方向へ回動して開放位置になる。
【００２６】
次に、上述したネジ山修正用工具１を用いてアンカーボルトや植込みボルト等のボルトの潰れたネジ山や錆びたネジ山を修正する場合について説明する。
【００２７】
先ず、係止機構６を操作してホルダー３を開放位置にし、この状態でホルダー３の各ホルダー片３′，３′に保持固定された両ダイス片２′，２′を修正しようとするボルトの周囲に位置させ、両ホルダー片３′，３′を弾性体５の弾性力に抗して閉鎖位置へ閉じて行く。このとき、両ホルダー片３′，３′は、係止機構６により段階的に閉じて行く。
【００２８】
両ホルダー片３′，３′を閉じて行き、ホルダー３が開放位置から閉鎖位置になると、両ホルダー片３′，３′に保持固定されたダイス片２′，２′が環状になってボルトの一部分を挾持すると共に、係止機構６によりホルダー３が閉鎖位置に保持される。このとき、両ダイス片２′，２′は、ボルトのネジ山が正常に形成されている部分で且つネジ山が潰れたり、錆びたりしている部分の近傍位置を挾持する。又、両ダイス片２′，２′は、ボルトの一部分を挾持したときにダイス片２′，２′の切り刃２ａがボルトのネジ山と螺合している。
【００２９】
次に、両ダイス片２′，２′がボルトを挾持している状態でホルダー３を持ち、ネジ山修正用工具１全体をボルトを中心にして回し、ボルトと螺合しているダイス２をボルトの潰れているネジ山や錆びているネジ山の方へ移動させ、修正を必要とする部分を通過させる。そうすると、ダイス２の機能によって、潰れているネジ山や錆びているネジ山が正規の形状に修正される。
【００３０】
このネジ山修正用工具１は、開閉自在な多角形状のホルダー３の中央部分で半割り状のダイス２を着脱自在に保持固定する構成としているため、ダイス２の周囲へ長く突出する部分がなく、ネジ山修正用工具１の回転時の最大作業半径を小さくすることができる。その結果、図１１に示す如く、狭い場所であってもボルト１５のネジ山の修正作業を確実且つ良好に行うことができる。
又、このネジ山修正用工具１は、開閉位置と開放位置とに亘って開閉自在なホルダー３を弾性体５により開放位置へ附勢保持し、ホルダー３に設けた係止機構６によりホルダー３を閉鎖位置へ保持する構成としているため、ボルトのネジ山を修正する際には、弾性体５により開放位置へ附勢保持されたホルダー３の離間した両ダイス片２′，２′間にボルトを挿入した後、弾性体５の附勢力に抗してホルダー３を閉鎖位置へ閉じれば、両ダイス片２′，２′がボルトのネジ山を挟むと共に、ホルダー３が係止機構６により閉鎖位置で保持される。その結果、このネジ山修正用工具１は、ホルダー３を弾性体５の附勢力に抗して閉じたりするだけで良く、ボルトの修正を迅速に簡単且つ容易に行えると共に、操作性にも優れたものとなる。
更に、このネジ山修正用工具１は、半割り状のダイス２と開閉自在なホルダー３とから成るため、長いボルトのネジ山を修正する際に修正を必要とするネジ山がボルトの先端から遠い位置にある場合でも、ボルトの修正しようとするネジ山の近傍位置にダイス２を装着することができ、ネジ山修正用工具１をボルトに対して何十回も回転させたりする必要がなく、ネジ山の修正を短時間で簡単且つ容易に行える。
そのうえ、このネジ山修正用工具１は、ダイス２をボルトの正常なネジ山を形成した部分に装着しているため、ダイス２により新たに形成されたネジ山が元々正常に形成されていたネジ山に連続して形成されることになり、ネジ山の位相がずれると云うことがなく、ボルトのネジ山の修正を正確に行える。
加えて、このネジ山修正用工具１は、ホルダー３の両ホルダー片３′，３′を略長方形状に形成し、両ホルダー片３′，３′の長手方向の外側周縁部を波形に形成する構成としているため、ボルトのネジ山の修正時に作業者がホルダー３を掴み易くなり、ネジ山修正用工具１自体をボルトに対して円滑且つスムースに回転させることができ、操作性にも優れたものとなる。
【００３１】
そして、修正しようとするボルトの直径やネジのピッチ等が変わった場合には、ホルダー３に保持固定しているダイス２を取り外し、修正しようとするボルトに合う新しい半割り状のダイス２をホルダー３のダイス挿着穴３ａに取り付け、当該ダイス２によりボルトのネジ山を修正する。
【００３２】
このネジ山修正用工具１は、ホルダー３のダイス挿着穴３ａに保持固定しているダイス２をネジのピッチ等が異なる別の半割り状のダイス２と交換することができるため、修正するボルトの直径やネジのピッチ、ネジの種類等が変わった場合には、半割り状のダイス２のみを交換すれば良く、内径やネジのピッチ等が異なる数種類の半割り状のダイス２のみを用意しておけば良い。その結果、このネジ山修正用工具１は、複数のネジ山修正用工具１を用意しておく必要もなく、コスト低減を図れると共に、保管や持ち運びも行い易くなり、取扱性に優れたものとなる。
又、このネジ山修正用工具１は、ダイス２の切り刃２ａが損傷したりした場合には、ダイス２のみを新しいものと交換すれば良く、ネジ山修正用工具１自体を破棄する必要もなくなり、経済性にも優れたものとなる。
更に、このネジ山修正用工具１は、両ホルダー片３′，３′の切欠部３ａ′の内面にダイス片２′，２′の外周縁部の形状に合致してダイス片２′，２′が着脱自在に嵌合される凹部３ｆを夫々形成する構成としているため、ダイス片２′，２′をホルダー片３′，３′の切欠部３ａ′に保持固定する際にダイス片２′，２′が切欠部３ａ′から脱落し難くなり、ダイス片２′，２′のホルダー片３′，３′への保持固定を円滑且つスムースに行える。
【００３３】
尚、上記の実施の形態に於いては、ダイス２を円形の丸ダイスを直径方向に二分割して形成した二つのダイス片２′，２′から構成し、又、両ホルダー片３′，３′に半円形状の切欠部３ａ′を形成すると共に、切欠部３ａ′の内面に丸形のダイス片２′，２′の外周縁部の形状に合致してダイス片２′，２′が着脱自在に嵌合される凹部３ｆを形成するようにしたが、他の実施の形態に於いては、ダイス２を六角形又は四角形のダイス２を直径方向に二分割して形成した二つのダイス片２′，２′から構成し、又、両ホルダー片３′，３′に多角形の切欠部３ａ′を形成すると共に、切欠部３ａ′の内面に角形のダイス片２′，２′の外周縁部の形状に合致してダイス片２′，２′が着脱自在に嵌合される凹部３ｆを形成するようにしても良い。
【００３４】
上記の実施の形態に於いては、ホルダー３の外形形状を略長方形状に形成するようにしたが、他の実施の形態に於いては、ホルダー３の外形形状を正方形状、六角形状又は三角形状に形成するようにしても良い。
【００３５】
上記の実施の形態に於いては、両ホルダー片３′，３′を金属製ブロック板３Ａ及び二枚の金属製カバー板３Ｂにより形成するようにしたが、他の実施の形態に於いては、両ホルダー片３′，３′を金属材により一体的に形成するようにしても良い。
【００３６】
上記の実施の形態に於いては、両ホルダー片３′，３′を金属材により形成するようにしたが、他の実施の形態に於いては、両ホルダー片３′，３′を合成樹脂製ブロック板３Ａ及び二枚の合成樹脂製カバー板３Ｂにより形成するようにしても良く、或いは両ホルダー片３′，３′を合成樹脂材により一体的に形成するようにしても良い。
【００３７】
上記の実施の形態に於いては、両ホルダー片３′，３′を若干異なる形状に形成したが、他の実施の形態に於いては、両ホルダー片３′，３′を金属材又は合成樹脂材により同一の大きさで且つ同一の形状及び同一の構造に形成するようにしても良い。
【００３８】
上記の実施の形態に於いては、ダイス片２′，２′を一本の固定ネジ４でホルダー片３′，３′の切欠部３ａ′に固定するようにしたが、他の実施の形態に於いては、ダイス片２′，２′を複数本の固定ネジ４でホルダー片３′，３′の切欠部３ａ′に固定するようにしても良い。
【００３９】
上記の実施の形態に於いては、弾性体５にコイルスプリングを使用するようにしたが、他の実施の形態に於いては、弾性体５に板バネ（図示省略）を使用し、板バネを両ホルダー片３′，３′間に介設するようにしても良い。
【図面の簡単な説明】
【００４０】
【図１】本発明の実施の形態に係るネジ山修正用工具の斜視図である。
【図２】ネジ山修正用工具のホルダー及びダイスが閉じた状態の平面図である。
【図３】ネジ山修正用工具のホルダー及びダイスが開いた状態の平面図である。
【図４】ネジ山修正用工具の正面図である。
【図５】ネジ山修正用工具の側面図である。
【図６】一方のホルダー片にダイス片と係止機構の係止板を装着した状態の側面図である。
【図７】他方のホルダー片にダイス片と係止機構の操作板を装着した状態の側面図である。
【図８】図２のＡ−Ａ線断面図である。
【図９】図２のＢ−Ｂ線断面図である。
【図１０】係止機構の係止板と操作板の係止が外れた状態の断面図である。
【図１１】ネジ山修正用工具を狭い場所で使用する場合の説明図である。
【図１２】従来のネジ山修正器の正面図である。
【符号の説明】
【００４１】
１はネジ山修正用工具、２はダイス、２′はダイス片、３はホルダー、３′はホルダー片、３ａはダイス挿着穴、３ｂは切欠部、３ｆは凹部、４は固定ネジ、５は弾性体、６は係止機構。
【図１】
2006326731.tif 000003
【図２】
2006326731.tif 000004
【図３】
2006326731.tif 000005
【図４】
2006326731.tif 000006
【図５】
2006326731.tif 000007
【図６】
2006326731.tif 000008
【図７】
2006326731.tif 000009
【図８】
2006326731.tif 000010
【図９】
2006326731.tif 000011
【図１０】
2006326731.tif 000012
【図１１】
2006326731.tif 000013
【図１２】
2006326731.tif 000014
【手続補正書】
【提出日】平成18年5月19日(2006.5.19)
【手続補正１】
【補正対象書類名】特許請求の範囲
【補正対象項目名】全文
【補正方法】変更
【補正の内容】
【特許請求の範囲】
【請求項１】
ネジ山を形成するダイス（２）と、中央部分にダイス（２）を着脱自在に保持するダイス挿着穴（３ａ）を有し、当該ダイス挿着穴（３ａ）を直径方向に二分割するように開閉する多角形状のホルダー（３）とから構成したネジ山修正用工具（１）であって、前記ダイス（２）は、丸ダイス又は角ダイスを直径方向に二分割して形成した二つのダイス片（２′），（２′）から成り、又、前記ホルダー（３）は、同一平面上に並列配置され、その基端部同士が回動自在に連結されていると共に、中央部分の対向する個所に各ダイス片（２′），（２′）を保持してダイス挿着穴（３ａ）を形成する半円形状又は角形状の切欠部（３ａ′）を設けた一対の板状のホルダー片（３′），（３′）と、両ホルダー片（３′），（３′）の切欠部（３ａ′）に保持された各ダイス片（２′），（２′）を夫々切欠部（３ａ′）へ固定する固定ネジ（４）と、両ホルダー片（３′），（３′）間に介設され、両ホルダー片（３′），（３′）を開く方向へ附勢する弾性体（５）と、両ホルダー片（３′），（３′）間に設けられ、両ホルダー片（３′），（３′）の間隔を所定の間隔に保持して各ホルダー片（３′），（３′）に保持固定されたダイス片（２′），（２′）を環状にする係止機構（６）とから成り、両ダイス片（２′），（２′）が環状になる閉鎖位置と両ダイス片（２′），（２′）が離間する開放位置とに亘って開閉自在に構成されていることを特徴とするネジ山修正用工具。
【請求項２】
両ホルダー片（３′），（３′）の切欠部（３ａ′）の内面に、ダイス片（２′），（２′）の外周縁部の形状に合致してダイス片（２′），（２′）が着脱自在に嵌合される凹部（３ｆ）を夫々形成したことを特徴とする請求項１に記載のネジ山修正用工具。
【請求項３】
両ホルダー片（３′），（３′）を略長方形状に形成すると共に、両ホルダー片（３′），（３′）の長手方向の外側周縁部を波形に形成したことを特徴とする請求項１又は請求項２に記載のネジ山修正用工具。
【請求項４】
係止機構（６）は、一方のホルダー片（３′）に形成した収納空間（３ｄ）に収納され、一定のピッチで複数の歯（９ｂ）を形成した係止片（９ａ）を備えた揺動自在な係止板（９）と、他方のホルダー片（３′）に形成した収納空間（３ｄ）に収納され、係止板（９）の複数の歯（９ｂ）に係脱自在に係止される複数の歯（１１ｂ）を形成したスライド自在な操作板（１１）と、係止板（９）を所定の方向へ附勢して係止板（９）の歯（９ｂ）を操作板（１１）の歯（１１ｂ）に係止させるコイルスプリング（１０）と、操作板（１１）を所定の方向へ附勢して操作板（１１）の歯（１１ｂ）を係止板（９）の歯（９ｂ）に噛合させるコイルスプリング（１２）とから成り、前記操作板（１１）は、操作板（１１）の歯（１１ｂ）が係止板（９）の歯（９ｂ）に噛合する係止位置と操作板（１１）の歯（１１ｂ）が係止板（９）の歯（９ｂ）から外れる非係止位置とに亘ってスライド自在になっていると共に、係止位置にある操作板（１１）を非係止位置へスライドさせる押しボタン（９ａ）を備えていることを特徴とする請求項１に記載のネジ山修正用工具。
【手続補正２】
【補正対象書類名】明細書
【補正対象項目名】００１１
【補正方法】変更
【補正の内容】
【００１１】
本発明の請求項３の発明は、両ホルダー片を長方形状に形成すると共に、両ホルダー片の長手方向の外側周縁部を波形に形成したことに特徴がある。
又、本発明の請求項４の発明は、係止機構が、一方のホルダー片に形成した収納空間に収納され、一定のピッチで複数の歯を形成した係止片を備えた揺動自在な係止板と、他方のホルダー片に形成した収納空間に収納され、係止板の複数の歯に係脱自在に係止される複数の歯を形成したスライド自在な操作板と、係止板を所定の方向へ附勢して係止板の歯を操作板の歯に係止させるコイルスプリングと、操作板を所定の方向へ附勢して操作板の歯を係止板の歯に噛合させるコイルスプリングとから成り、前記操作板が、操作板の歯が係止板の歯に噛合する係止位置と操作板の歯が係止板の歯から外れる非係止位置とに亘ってスライド自在になっていると共に、係止位置にある操作板を非係止位置へスライドさせる押しボタンを備えていることに特徴がある。